(57)【要約】【課題】  利用者の耳に害を与えることなくアラーム音を出力することができるアラーム機能付き電話機を提供する。【解決手段】  コードレス親子電話機の子機側で通話中に、現在時刻がアラーム設定時刻に達すると、アラーム音出力を保留する。そして子機側の通話が終了すると（Ｓ２１０：ＹＥＳ及びＳ２２０：ＹＥＳ）、通話終了から保留時間経過後に（Ｓ２６０：ＹＥＳ）、アラーム音を設定音量で子機のスピーカから出力する（Ｓ２５０）。一方、子機側で各種情報を入力するための操作を行っている最中に現在時刻がアラーム設定時刻に達すると、アラーム音出力を保留する。そして子機側での操作が終了すると（Ｓ２１０：ＹＥＳ及びＳ２２０：ＮＯ）、設定音量より小さい音量で子機のスピーカからアラーム音を出力する（Ｓ２８０）。【選択図】図５
2005109808.tif 000002
【特許請求の範囲】
【請求項１】
音声を送受信するための送受話部と、利用者が各種情報を入力するための操作部と、予め設定された設定時刻に現在時刻が達した旨を報知するためのアラーム音を発生するアラーム音発生手段とを備える受話器を有するアラーム機能付き電話機であって、
現在時刻が前記設定時刻に達した際に、当該電話機が、利用者が通話中である通話中状態でなく且つ利用者が前記操作部を操作している操作中状態でない待機状態である場合には、予め設定された設定音量で前記アラーム音発生手段にアラーム音を発生させる第１アラーム音制御手段と、
現在時刻が前記設定時刻に達した際に、当該電話機が前記通話中状態であった場合であって、その後、当該電話機が前記通話中状態から前記待機状態に変わった場合に、通話終了後に利用者が前記受話器を当該利用者の耳から離すと見做される予め設定された所定時間経過後に、前記設定音量で前記アラーム音発生手段に前記アラーム音を発生させる第２アラーム音制御手段と、
現在時刻が前記設定時刻に達した際に、当該電話機が前記操作中状態であった場合であって、その後、当該電話機が前記操作中状態から前記待機状態に変わった場合に、前記設定音量より小さい音量で前記アラーム音発生手段に前記アラーム音を発生させる第３アラーム音制御手段と、
を備えることを特徴とするアラーム機能付き電話機。
【請求項２】
利用者の操作によって、前記所定時間を設定する設定情報を入力するための設定入力手段と、
前記設定入力手段から前記設定情報が入力されると、前記設定情報に応じて、前記所定時間を変更するアラーム保留時間変更手段と、
を備えることを特徴とする請求項１に記載のアラーム機能付き電話機。
【請求項３】
前記設定時刻に現在時刻が達した旨を周囲に報知するためのアラーム画像を表示するアラーム画像表示手段と、
現在時刻が前記設定時刻に達した際に、当該電話機が前記通話中状態であった場合であって、その後、当該電話機が前記通話中状態から前記待機状態に変わった場合に、前記アラーム画像表示手段に前記アラーム画像を表示させるアラーム画像制御手段と、
を備えることを特徴とする請求項１または請求項２に記載のアラーム機能付き電話機。
【請求項４】
当該アラーム機能付き電話機は、コードレス親子電話機の子機であり、
前記子機を着脱可能に載置するととともに、前記子機が載置されると前記子機に内蔵されている電池を充電する充電手段を備え、
前記第２アラーム音制御手段は、当該電話機が前記通話中状態から前記待機状態に変わった時から前記所定時間経過するまでに、前記子機が前記充電手段に載置されると、前記設定音量で前記アラーム音発生手段に前記アラーム音を発生させる、
ことを特徴とする請求項１〜請求項３何れかに記載のアラーム機能付き電話機。
【発明の詳細な説明】
【技術分野】
【０００１】
本発明は、設定時刻にアラーム音を出力するアラーム機能付き電話機に関する。
【背景技術】
【０００２】
予め設定された時刻にアラーム音を出力することが可能な電話機において、通話中にアラーム音を出力するための設定時刻となった場合には、アラーム音出力を保留し、その後、通話終了と同時にアラーム音を出力させるものが知られている（例えば、特許文献１参照。）。
【特許文献１】特開平１１−５５１５０号公報
【発明の開示】
【発明が解決しようとする課題】
【０００３】
ところで、アラーム音は、通常、周囲に報知できる程度の音量でスピーカから出力されるように構成されている。このため、コードレス親子電話機の子機のように、通話するための送受話部とアラーム音を出力するためのスピーカ部とがハンドセット内に納められていると、上記方法では、通話を終了した直後、つまり利用者の耳の近くに子機がある状態においてアラーム音が出力され、利用者の耳に害を与える虞があった。
【０００４】
また、通話中以外にも、利用者が子機に配置されている操作キーを操作して情報を入力している最中にアラーム音を出力する設定時刻となった場合において、この操作を終了した直後にアラーム音をスピーカ部から出力させるようにすると、利用者の手元においてアラーム音が出力され、上記と同様に、利用者の耳に害を与える虞があった。
【０００５】
本発明は、こうした問題に鑑みなされたものであり、利用者の耳に害を与えることなくアラーム音を出力することができるアラーム機能付き電話機を提供することを目的とする。
【課題を解決するための手段】
【０００６】
係る目的を達成するためになされた請求項１に記載のアラーム機能付き電話機は、音声を送受信するための送受話部と、利用者が各種情報を入力するための操作部と、予め設定された設定時刻に現在時刻が達した旨を報知するためのアラーム音を発生するアラーム音発生手段とを備える受話器を有するアラーム機能付き電話機であって、現在時刻が前記設定時刻に達した際に、当該電話機が、利用者が通話中である通話中状態でなく且つ利用者が前記操作部を操作している操作中状態でない待機状態である場合には、予め設定された設定音量で前記アラーム音発生手段にアラーム音を発生させる第１アラーム音制御手段と、現在時刻が前記設定時刻に達した際に、当該電話機が前記通話中状態であった場合であって、その後、当該電話機が前記通話中状態から前記待機状態に変わった場合に、通話終了後に利用者が前記受話器を当該利用者の耳から離すと見做される予め設定された所定時間経過後に、前記設定音量で前記アラーム音発生手段に前記アラーム音を発生させる第２アラーム音制御手段と、現在時刻が前記設定時刻に達した際に、当該電話機が前記操作中状態であった場合であって、その後、当該電話機が前記操作中状態から前記待機状態に変わった場合に、前記設定音量より小さい音量で前記アラーム音発生手段に前記アラーム音を発生させる第３アラーム音制御手段と、を備えることを特徴とする。
【０００７】
このように構成されたアラーム機能付き電話機によれば、アラーム音を発生する設定時刻に現在時刻が達した際に、当該電話機が待機状態である場合には、第１アラーム音制御手段が、予め設定された設定音量でアラーム音発生手段にアラーム音を発生させ、当該電話機が通話中状態であった場合には、通話中状態から待機状態に変わった際に、通話終了後に利用者が受話器を当該利用者の耳から離すと見做される予め設定された所定時間経過後に、第２アラーム音制御手段が、設定音量でアラーム音発生手段にアラーム音を発生させ、当該電話機が操作中状態であった場合には、その後、当該電話機が操作中状態から待機状態に変わった際に、第３アラーム音制御手段が、設定音量より小さい音量でアラーム音発生手段にアラーム音を発生させる。
【０００８】
すなわち、通話中に現在時刻がアラーム設定時刻に達した場合には、利用者が通話を終了して利用者の耳から受話器が離れた後に設定音量でアラーム音が発生するので、利用者の耳の近くでアラーム音が発生することがなく、利用者の耳に害を与えることを防止することができる。
【０００９】
また、利用者が操作部を操作している最中に、現在時刻がアラーム設定時刻に達した場合には、利用者が操作部の操作を終了した直後に、つまり利用者の手元で、設定音量より小さい音量でアラーム音が発生するので、利用者の耳に害を与えることを防止することができる。即ち、操作部の操作を終了した直後は、通話を終了した直後よりも、受話器が利用者の耳から離れているので、操作部の操作を終了した直後にアラーム音を発生させる。しかし、設定音量でアラーム音を発生させるほどには耳から離れていないので、設定音量よりも小さい音量でアラーム音を発生させる。
【００１０】
また、請求項１に記載のアラーム機能付き電話機においては、請求項２に記載のように、利用者の操作によって、前記所定時間を設定する設定情報を入力するための設定入力手段と、前記設定入力手段から前記設定情報が入力されると、前記設定情報に応じて、前記所定時間を変更するアラーム保留時間変更手段と、を備えることが望ましい。
【００１１】
このように構成されたアラーム機能付き電話機によれば、利用者の判断で、所定時間を任意に設定することができる。
尚、請求項１または請求項２に記載のアラーム機能付き電話機においては、利用者が通話を終了して所定時間経過後にアラーム音が発生するので、所定時間経過するまでは、利用者はアラーム設定時刻になったことを知ることができない。そこで、請求項３に記載のように、前記設定時刻に現在時刻が達した旨を周囲に報知するためのアラーム画像を表示するアラーム画像表示手段と、現在時刻が前記設定時刻に達した際に、当該電話機が前記通話中状態であった場合であって、その後、当該電話機が前記通話中状態から前記待機状態に変わった場合に、前記アラーム画像表示手段に前記アラーム画像を表示させるアラーム画像制御手段と、を備えることが望ましい。
【００１２】
このように構成されたアラーム機能付き電話機によれば、当該電話機が通話中状態から待機状態に変わった直後にアラーム画像が表示されるので、所定時間経過前でも利用者がアラーム画像表示手段を見れば、アラーム設定時刻になったことを知ることができる。
【００１３】
また、請求項１〜請求項３何れかに記載のアラーム機能付き電話機において、当該アラーム機能付き電話機がコードレス親子電話機の子機である場合には、子機に内蔵されている電池を充電する充電手段を備えており、通話中状態でもなく操作中状態でもない場合には充電手段に子機を載置するのが一般的であるので、請求項４に記載のように、前記第２アラーム音制御手段は、当該電話機が前記通話中状態から前記待機状態に変わった時から前記所定時間経過するまでに、前記子機が前記充電手段に載置されると、前記設定音量で前記アラーム音発生手段に前記アラーム音を発生させるようにするとよい。
【００１４】
つまり、子機が充電手段に載置された状態では、所定時間経過前であっても、受話器が利用者の耳から離れたと見做している。
このように構成されたアラーム機能付き電話機によれば、利用者の耳に害を与えることなく、利用者は、アラーム設定時刻になったことを更に早く知ることができる。
【発明を実施するための最良の形態】
【００１５】
以下、本発明の実施の形態を図面に基づいて説明する。
図１はコードレス親子電話機１の外部構成を表す正面図、図２はコードレス親子電話機１の電気的構成を表すブロック図である。
【００１６】
コードレス親子電話機１は、図１に示すように、電話回線網１００（図２参照）に接続された親機１０と、無線回線で親機１０と通信を行う子機５０と、図示しない外部電源に接続され（図２参照）、子機５０を着脱可能に載置し、載置された子機５０を所定の電圧で充電するための充電台８０とから構成されている。
【００１７】
そして、親機１０は、その親機本体ケース１１の側部に、親機１０本体から取り外した状態で使用する送受話器であるハンドセット（Ｈ／Ｓ）１３が取り付けられている。さらに、親機本体ケース１１の上面には、相手側の電話番号を入力するための数字キー１５ａや、スタートキー１５ｂ、選択キー１５ｃなどの各種操作キー１５（図２参照）と、各種機能に関連する情報を表示するための表示パネル１６が備えられている。
【００１８】
また、子機５０には、ハンドセットの形状をした子機本体ケース５１の表面上に、相手側の電話番号を入力するための数字キー５３ａや選択キー５３ｂなどの各種操作キー５３（図２参照）と、各種機能に関連する情報を表示するための表示パネル５４が備えられている。
【００１９】
そして、親機１０と子機５０とは、無線通信により音声信号を含めた各種信号を送受信可能に構成され、親機１０側と子機５０側との間で通話ができるとともに、親機１０を介して子機５０側で外線通話をすることができる。
【００２０】
次に、コードレス親子電話機１の電気的構成について説明する。尚、図２はコードレス親子電話機１の電気的構成を表すブロック図である。
親機１０は、親機１０全体の動作を制御する制御部２１，ハンドセット１３，操作キー１５および表示パネル１６からなるユーザインターフェース部（以降、ユーザＩ／Ｆとする）１７，音声信号を入力および出力する音声入出力部２３，予め記憶された各種音声信号に基づく音声を再生する再生部２５、子機５０との間で音声信号を含めた各種信号を無線通信により送受信する無線通信部２７，電話回線網１００経由で伝送される音声信号を入出力するＮＣＵ（ｎｅｔｗｏｒｋ  ｃｏｎｔｒｏｌ  ｕｎｉｔ）２９，親機１０内部における音声信号の伝送経路を切り換える経路切換部３１などを備えている。
【００２１】
また、音声入出力部２３は、スピーカ２３ａ、マイク２３ｂおよびこれらを駆動する駆動回路２３ｃを備え、スピーカ２３ａから音声信号に基づく音声を出力する以外に、スピーカ２３ａおよびマイク２３ｂを送受話器として、いわゆるハンズフリー通話を行えるように構成されている。
【００２２】
また、再生部２５は、着信を受けた際に利用される呼出音、音声通話を保留する際に利用される保留音などの音声信号を記憶し、制御部２１からの指令を受けて、記憶されている音声信号を再生する。再生された音声信号はスピーカ２３ａから出力される。
【００２３】
また、無線通信部２７は、子機５０との間で音声信号を含めた各種信号を無線通信により送受信する。
また、経路切換部３１は、通話を開始するための操作が行われた場合に、親機１０外部との音声信号の入出力に利用する伝送経路をハンドセット１３，音声入出力部２３，無線通信部２７のいずれかに切り換える。具体的には、ハンドセット１３が親機１０本体から取り外された場合は、伝送経路をハンドセット１３に切り換え、ユーザＩ／Ｆ１７の操作キー１５によりハンズフリー通話を開始するための操作が行われた場合は、伝送経路を音声入出力部２３に切り換え、子機５０により通話を開始するための操作（後述の操作キー５３による）が行われた場合には、伝送経路を無線通信部２７に切り換える。
【００２４】
一方、子機５０は、子機５０全体の動作を制御する制御部６１、スピーカとマイクおよびこれらを駆動する駆動回路からなる送受話部６３、操作キー５３および表示パネル５４からなるユーザＩ／Ｆ５５、予め記憶された各種音声信号に基づく音声を再生する再生部６５、再生部６５により再生された音声を出力するスピーカおよびスピーカを駆動する駆動回路からなるスピーカ部６７、親機１０（の無線通信部２７）との間で音声信号を含めた各種信号を無線通信により送受信する無線通信部６９、子機５０全体に電源を供給する電池７１、充電台８０から電池７１に充電する為の充電端子７３などを備えている。
【００２５】
また、制御部６１は、外部から入力したデータ等を格納するＲＡＭ６１ａを備えている。
また、再生部６５は、着信を受けた際に利用される呼出音、音声通話を保留する際に利用される保留音、設定された時刻になった旨を報知するためのアラーム音などの音声信号が記憶されている。
【００２６】
そして、操作キー５３が操作され、上記アラーム音をスピーカ部６７から出力する時刻を示す設定時刻情報がユーザＩ／Ｆ５５を介して入力されると、制御部６１はＲＡＭ６１ａに当該設定時刻情報を格納する。同様に、操作キー５３が操作され、上記アラーム音をスピーカ部６７から出力する音量を示す設定音量情報がユーザＩ／Ｆ５５を介して入力されると、制御部６１はＲＡＭ６１ａに当該設定音量情報を格納する。
【００２７】
更に、操作キー５３が操作され、後述する保留時間を設定するための保留時間設定指令及び保留時間を示す保留時間設定情報がユーザＩ／Ｆ５５を介して入力されると、制御部６１は、保留時間設定指令と保留時間設定情報に基づいて、後述する保留時間設定処理を実行する。
【００２８】
また、子機５０の動作状態或いは操作キー５３からの操作により、制御部６１は図３に示すような表示を表示パネル５４に行わせる。図３は、表示パネル５４の表示画面を示す説明図である。
【００２９】
まず、着信を待っている状態、つまり待機状態では、制御部６１は、図３（ａ）に示すように、画面の左上部に待機状態を示すための電話を模した画像、右下部に現在時刻が示される画面を表示パネル５４に表示させる。
【００３０】
また、利用者が操作キー５３を操作して子機５０側で通話を開始すると、制御部６１は、図３（ｂ）に示すように、画面の左上部に通話中であることを示すための電話を模した画像、右上部に通話開始からの経過時間が示される画面を表示パネル５４に表示させる。
【００３１】
また、利用者が、子機５０の有する各機能を選択するためのメニュー画面を表示するための操作を操作キー５３から行うと、制御部６１は、図３（ｃ）に示すように、相手先の名前と電話番号とを登録するための「１．電話帳」や、アラーム時刻を設定するための「２．アラーム」などが示されるメニュー画面を表示パネル５４に表示させる。
【００３２】
そして、図３（ｃ）の状態において、利用者が、例えば「１．電話帳」を選択するための操作を操作キー５３から行うと、制御部６１は、図３（ｄ）に示すように、相手先の名前を入力するための画面を表示パネル５４に表示させる。
【００３３】
一方、図３（ｃ）の状態において、利用者が、図３（ｃ）の「２．アラーム」を選択してアラーム時刻を設定すると、現在時刻がアラーム時刻に達した時に、制御部６１は、図３（ｅ）に示すように、画面の上部に「アラーム１」の文字が点滅し、下部に現在時刻が示されるアラーム画面を表示パネル５４に表示させる。
【００３４】
さらに、子機５０が充電端子７３を介して充電台８０に接続されると、充電台８０を介して外部電源からの電源が電池７１に供給される。
次に、アラーム設定時刻に現在時刻が達した時に、子機５０がアラーム音を出力するためのアラーム出力処理について説明する。図４は、アラーム出力処理を表すフローチャートである。このアラーム出力処理は子機５０の制御部６１によって、子機５０が起動（電源ＯＮ）している間に繰り返し実行される処理である。
【００３５】
このアラーム出力処理においては、制御部６１は、まずＳ１０にて、ＲＡＭ６１ａに格納されている設定時刻情報で示されるアラーム設定時刻に現在時刻が達したか否かを判断する。ここで、現在時刻がアラーム設定時刻に達していないと判断すると（Ｓ１０：ＮＯ）、当該アラーム出力処理を終了する。一方、現在時刻がアラーム設定時刻に達したと判断すると（Ｓ１０：ＹＥＳ）、Ｓ２０に移行する。
【００３６】
そして、Ｓ２０にて、子機５０が、通話中状態でなく操作中状態でもない待機状態であるか否かを判断する。ここで、子機５０が待機状態であると判断すると（Ｓ２０：ＹＥＳ）、Ｓ３０にて、表示パネル５４の画面上でのアラーム表示を開始し、更にＳ４０にて、ＲＡＭ６１ａに格納されている設定音量情報で示される設定音量でスピーカ部６７からアラーム音出力を開始し、当該アラーム出力処理を終了する。
【００３７】
また、Ｓ２０にて、子機５０が待機状態でないと判断すると（Ｓ２０：ＮＯ）、Ｓ５０に移行し、アラーム保留処理を実行する。そして、アラーム保留処理を終了すると、当該アラーム出力処理を終了する。
【００３８】
Ｓ５０のアラーム保留処理は、図５に示す手順で実行される。図５は、アラーム保留処理を表すフローチャートである。
このアラーム保留処理を実行すると、制御部６１は、まずＳ２１０にて、子機５０が待機状態に復帰したか否かを判断する。ここで、子機５０が待機状態に復帰したと判断すると（Ｓ２１０：ＹＥＳ）、Ｓ２２０に処理を移す。一方、子機５０が待機状態に復帰していないと判断すると（Ｓ２１０：ＮＯ）、Ｓ２１０の処理を繰り返す。
【００３９】
また、処理がＳ２２０に移ると、待機状態に復帰する前は通話中状態であったか否かを判断する。ここで、通話中状態であったと判断すると（Ｓ２２０：ＹＥＳ）、Ｓ２３０にて、表示パネル５４の画面上でのアラーム表示を開始し、Ｓ２４０に移行する。
【００４０】
そして、Ｓ２４０にて、子機５０が充電台８０に接続されているか否かを判断する。ここで、充電台８０に接続されていると判断すると（Ｓ２４０：ＹＥＳ）、Ｓ２５０にて、スピーカ部６７から設定音量でアラーム音出力を開始し、当該アラーム保留処理を終了する。
【００４１】
一方、子機５０が充電台８０に接続されていないと判断すると（Ｓ２４０：ＮＯ）、Ｓ２６０において、待機状態に復帰してから、後述する保留時間設定処理においてＲＡＭ６１ａに格納された保留時間情報で示される保留時間（例えば５秒）経過したか否かを判断する。ここで、保留時間経過したと判断すると（Ｓ２６０：ＹＥＳ）、Ｓ２５０に移行する。一方、保留時間経過していないと判断すると（Ｓ２６０：ＮＯ）、Ｓ２４０に処理を移し上記の処理を繰り返す。
【００４２】
また、Ｓ２２０にて、通話中状態でなかったと判断すると（Ｓ２２０：ＮＯ）、操作中状態と判断して、Ｓ２７０にて、表示パネル５４の画面上でのアラーム表示を開始し、更にＳ２８０にて、設定音量より小さい音量でスピーカ部６７からアラーム音出力を開始し、当該アラーム保留処理を終了する。
【００４３】
尚、スピーカ部６７からのアラーム音出力中に、アラーム音出力を終了するための操作が操作キー５３により行われると、制御部６１はスピーカ部６７にアラーム音出力を終了させる。同様に、表示パネル５４の画面上でのアラーム表示中に、アラーム表示を終了するための操作が操作キー５３により行われると、制御部６１は表示パネル５４アラーム表示を終了させる。
【００４４】
即ち、上述のアラーム出力処理では、子機５０側で通話を行っている通話中状態において、設定時刻情報で示されるアラーム設定時刻に現在時刻が達すると、アラーム音出力を保留する。そして子機５０側での通話が終了すると、通話終了から保留時間設定情報で示される保留時間経過後にアラーム音を設定音量で出力する。また、子機５０側でユーザＩ／Ｆ５５を介して各種情報を入力するための操作を行っている操作中状態（例えば、表示パネル５４が、図３（ｃ），図３（ｄ）に示される画像を表示している時）において、アラーム設定時刻に現在時刻が達すると、アラーム音出力を保留する。そして子機５０側での操作が終了すると、設定音量より小さい音量でアラーム音を出力する。
【００４５】
次に、利用者が操作キー５３を操作して上記保留時間を設定するための保留時間設定処理を、図６を用いて説明する。図６は、保留時間設定処理を表すフローチャートである。この保留時間設定処理は、制御部６１によって、子機５０が起動（電源ＯＮ）している間に繰り返し実行される処理である。
【００４６】
この保留時間設定処理を実行すると、制御部６１は、まずＳ４１０にて、操作キー５３から保留時間設定指令が入力されるまで待機し、保留時間設定指令が入力されたと判断すると（Ｓ４１０：ＹＥＳ）、Ｓ４２０にて、表示パネル５４に、保留時間設定情報を入力するための入力画面を表示する。
【００４７】
この後、Ｓ４３０において、保留時間設定情報が入力されるまで待機する。
そして、保留時間設定情報が入力されると（Ｓ４３０：ＹＥＳ）、Ｓ４４０において、保留時間設定情報をＲＡＭ６１ａに格納し、当該保留時間設定処理を終了する。
【００４８】
以上説明した実施形態において、図４におけるＳ１０，Ｓ２０及びＳ４０の処理は本発明における第１アラーム音制御手段、図４におけるＳ１０，Ｓ２０及び図５におけるＳ２１０，Ｓ２２０，Ｓ２４０〜Ｓ２６０の処理は本発明における第２アラーム音制御手段、図４におけるＳ１０，Ｓ２０及び図５におけるＳ２１０，Ｓ２２０，Ｓ２７０，Ｓ２８０の処理は本発明における第３アラーム音制御手段、図６の保留時間設定処理は本発明におけるアラーム保留時間変更手段、図５におけるＳ２１０〜Ｓ２３０の処理は本発明におけるアラーム画像制御手段である。
【００４９】
また、子機５０は本発明におけるアラーム機能付き電話機、送受話部６３は本発明における送受話部、操作キー５３は本発明における操作部、スピーカ部６７は本発明におけるアラーム音発生手段である。
【００５０】
また、操作キー５３は本発明における設定入力手段、表示パネル５４は本発明におけるアラーム画像表示手段、充電台８０は本発明における充電手段である。
このように構成された本実施形態の子機５０によれば、現在時刻がアラーム設定時刻に達した際に（Ｓ１０：ＹＥＳ）、子機５０が待機状態である場合には（Ｓ２０：ＹＥＳ）、設定音量でスピーカ部６７からアラーム音を出力し（Ｓ４０）、子機５０が通話中状態であった場合には（Ｓ２２０：ＹＥＳ）、通話中状態から待機状態に変わって保留時間経過後に（Ｓ２６０：ＹＥＳ）、設定音量でスピーカ部６７からアラーム音を出力し（Ｓ２５０）、子機５０が操作中状態であった場合には（Ｓ２２０：ＮＯ）、その後、子機５０が操作中状態から待機状態に変わった際に設定音量より小さい音量でスピーカ部６７からアラーム音を出力する（Ｓ２８０）。
【００５１】
すなわち、通話中にアラーム設定時刻になった場合には、利用者が通話を終了して利用者の耳から子機５０が離れた後に設定音量でアラーム音が発生するので、利用者の耳の近くでアラーム音が発生することがなく、利用者の耳に害を与えることを防止することができる。また、利用者がユーザＩ／Ｆ５５を操作している最中にアラーム設定時刻になった場合には、利用者がユーザＩ／Ｆ５５の操作を終了した直後に、つまり利用者の手元で、尚且つ設定音量より小さい音量でアラーム音が発生するので、利用者の耳に害を与えることを防止することができる。
【００５２】
また、図６の保留時間設定処理により、利用者の判断で、保留時間を任意に設定することができる。
また、図５におけるＳ２１０〜Ｓ２３０の処理により、子機５０が通話中状態から待機状態に変わった直後に、表示パネル５４の画面上にアラーム画像が表示されるので、保留時間経過前でも利用者が表示パネル５４を見れば、アラーム設定時刻になったことを知ることができる。
【００５３】
また、図５におけるＳ２４０及びＳ２６０の処理により、子機５０が通話中状態から待機状態に変わった時から保留時間経過するまでに子機５０が充電台８０に接続されると、設定音量でスピーカ部６７からアラーム音が出力されるので、利用者の耳に害を与えることなく、利用者は、アラーム設定時刻になったことを保留時間経過前に知ることができる。
【００５４】
以上、本発明の一実施例について説明したが、本発明は上記実施例に限定されるものではなく、種々の態様を採ることができる。
例えば、上記実施形態においては、コードレス親子電話機１の子機５０に本発明のアラーム機能付き電話機としての構成を適用したものを例示した。しかし、本発明のアラーム機能付き電話機としての構成を適用する電話機は、通話するための送受話部とアラーム音を出力するためのスピーカ部とが一体になっていれば、コードレス親子電話機１の子機５０以外の電話機、例えば親機と子機を有するファクシミリ装置や複合機の子機であってもよいし、携帯電話機であってもよい。
【図面の簡単な説明】
【００５５】
【図１】実施の形態におけるコードレス親子電話機の正面図。
【図２】実施の形態におけるコードレス親子電話機の構成を表すブロック図。
【図３】実施の形態における子機の表示画面を説明する図。
【図４】実施の形態におけるアラーム出力処理手順を表すフローチャート。
【図５】実施の形態におけるアラーム保留処理手順を表すフローチャート。
【図６】実施の形態における保留時間設定処理手順を表すフローチャート。
【符号の説明】
【００５６】
１…コードレス親子電話機、１０…親機、１１…親機本体ケース、１３…ハンドセット、１５…操作キー、１６…表示パネル、１７…ユーザＩ／Ｆ、２１…制御部、２３…音声入出力部、２３ａ…スピーカ、２３ｂ…マイク、２３ｃ…駆動回路、２５…再生部、２７…無線通信部、２９…ＮＣＵ、３１…経路切換部、５０…子機、５１…子機本体ケース、５３…操作キー、５４…表示パネル、５５…ユーザＩ／Ｆ、６１…制御部、６３…送受話部、６５…再生部、６７…スピーカ部、６９…無線通信部、７１…電池、７３…充電端子、８０…充電台、１００…公衆電話回線網。
【図１】
2005109808.tif 000003
【図２】
2005109808.tif 000004
【図３】
2005109808.tif 000005
【図４】
2005109808.tif 000006
【図５】
2005109808.tif 000007
【図６】
2005109808.tif 000008